(57)【要約】【課題】本発明は、盗難防止機能を有する電子装置及びその揺動検出器を提供することを目的とする。【解決手段】本発明に係る盗難防止機能を有する電子装置は、警報ユニットと、揺動検出器と、警報ユニットと揺動検出器との間に接続されるマイクロプロセッサーと、を備え、揺動検出器は、本体と、本体内に収容される水銀と、本体に設置される複数の導線と、を備え、隣り合う２つの導線は、マイクロプロセッサーの電源端及び接地端にそれぞれ接続され、マイクロプロセッサーが盗難防止モードに入ってから、電子装置が水平放置される場合、隣り合う２つの導線は電気接続しないが、電子装置が揺動される場合、本体内の水銀が移動して隣り合う２つの導線を電気接続することにより、マイクロプロセッサーの電源端及び接地端が導通し、マイクロプロセッサーは警報ユニットをスタートして警告する。【選択図】図１
2011187053.tif 000002
【特許請求の範囲】
【請求項１】
警報ユニットと、揺動検出器と、前記警報ユニットと前記揺動検出器との間に接続されるマイクロプロセッサーと、を備える電子装置であって、
前記揺動検出器は、本体と、前記本体内に収容される水銀と、前記本体に設置される複数の導線と、を備え、
隣り合う２つの前記導線は、前記マイクロプロセッサーの電源端及び接地端にそれぞれ接続され、
前記マイクロプロセッサーが盗難防止モードに入ってから、前記電子装置が水平放置される場合、隣り合う２つの前記導線は電気接続しないが、前記電子装置が揺動される場合、前記本体内の水銀が移動して隣り合う２つの前記導線を電気接続することにより、前記マイクロプロセッサーの電源端及び接地端が導通し、前記マイクロプロセッサーは前記警報ユニットをスタートして警告することを特徴とする盗難防止機能を有する電子装置。
【請求項２】
前記電子装置は、電源と前記マイクロプロセッサーとの間に接続される電気スイッチをさらに備え、前記電気スイッチをオンして、前記マイクロプロセッサーを盗難防止モードに入らせることを特徴とする請求項１に記載の盗難防止機能を有する電子装置。
【請求項３】
ソフトウェアによって、前記電子装置が待ち状態又はロック状態になると、前記マイクロプロセッサーを盗難防止モードに入らせるように設定することを特徴とする請求項１に記載の盗難防止機能を有する電子装置。
【請求項４】
電子装置内の電子素子の電源端及び接地端を導通するために用いられる揺動検出器であって、
本体と、前記本体内に収容される水銀と、前記本体に設置される複数の導線と、を備え、
隣り合う２つの前記導線は、前記電子素子の電源端及び接地端にそれぞれ接続され、
前記電子装置が水平放置される場合、隣り合う２つの前記導線は電気接続しないが、前記電子装置が揺動される場合、前記本体内の水銀が移動して隣り合う２つの前記導線を電気接続することを特徴とする揺動検出器。
【請求項５】
前記本体は、積層設置されるベース及びカバーからなり、
前記ベースの中心には、１つの凹部が設けられ、
前記水銀は前記凹部に収容され、 
隣り合う２つの前記導線の一端は、前記電子素子の電源端及び接地端にそれぞれ接続され、
隣り合う２つの前記導線の他端は、前記ベースの前記カバーに対面する表面における前記凹部の開口の周縁に暴露されることを特徴とする請求項４に記載の揺動検出器。
【請求項６】
前記本体は、積層設置されるベース及びカバーからなり、
前記ベースには、３行３列の９つの凹部が設けられ、
前記水銀は前記ベースの中心に位置する前記凹部に収容され、
隣り合う２つの前記導線の一端は、前記電子素子の電源端及び接地端にそれぞれ接続され、
隣り合う２つの前記導線の他端は、前記ベースの前記カバーに対面する表面の周辺に暴露されることを特徴とする請求項４に記載の揺動検出器。
【発明の詳細な説明】
【技術分野】
【０００１】
本発明は、盗難防止機能を有する電子装置及びその揺動検出器に関するものである。
【背景技術】
【０００２】
ノートパソコン又はメディアプレーヤーのような電子装置は、便利に携帯することができるので、人々は常に公共場所に持ってきて使う。しかし、使用者がちょっと離れると、持ってきた携帯式電子装置が盗まれる現象が発生する。
【発明の概要】
【発明が解決しようとする課題】
【０００３】
本発明の目的は、前記課題を解決し、盗難防止機能を有する電子装置及びその揺動検出器を提供することである。
【課題を解決するための手段】
【０００４】
本発明に係る盗難防止機能を有する電子装置は、警報ユニットと、揺動検出器と、前記警報ユニットと前記揺動検出器との間に接続されるマイクロプロセッサーと、を備え、前記揺動検出器は、本体と、前記本体内に収容される水銀と、前記本体に設置される複数の導線と、を備え、隣り合う２つの前記導線は、前記マイクロプロセッサーの電源端及び接地端にそれぞれ接続され、前記マイクロプロセッサーが盗難防止モードに入ってから、前記電子装置が水平放置される場合、隣り合う２つの前記導線は電気接続しないが、前記電子装置が揺動される場合、前記本体内の水銀が移動して隣り合う２つの前記導線を電気接続することにより、前記マイクロプロセッサーの電源端及び接地端が導通し、前記マイクロプロセッサーは前記警報ユニットをスタートして警告する。
【０００５】
本発明に係る揺動検出器は、電子装置内の電子素子の電源端及び接地端を導通するために用いられ、本体と、前記本体内に収容される水銀と、前記本体に設置される複数の導線と、を備え、隣り合う２つの前記導線は、前記電子素子の電源端及び接地端にそれぞれ接続され、前記電子装置が水平放置される場合、隣り合う２つの前記導線は電気接続しないが、前記電子装置が揺動される場合、前記本体内の水銀が移動して隣り合う２つの前記導線を電気接続する。
【発明の効果】
【０００６】
本発明に係る電子装置において、マイクロプロセッサーが盗難防止モードに入ってから、窃盗者が前記電子装置を窃盗する時、前記電子装置が揺動されて、揺動検出器内の水銀が移動して、前記マイクロプロセッサーの電源端及び接地端を導通すると、前記マイクロプロセッサーは警報ユニットをスタートして、窃盗者に警告する。
【図面の簡単な説明】
【０００７】
【図１】本発明の実施形態に係る盗難防止機能を有する電子装置の構造を示すブロック図である。
【図２】本発明の実施形態に係る電子装置の揺動検出器の１つの例を示す図である。
【図３】本発明の実施形態に係る電子装置の揺動検出器の他の例を示す図である。
【発明を実施するための形態】
【０００８】
以下、図面を参照して、本発明の実施形態について説明する。
【０００９】
図１を参照すると、本発明の実施形態に係る盗難防止機能を有する電子装置１００は、揺動検出器１０と、マイクロプロセッサー２０と、警報ユニット３０と、電気スイッチ４０と、を備える。前記揺動検出器１０、前記マイクロプロセッサー２０及び前記警報ユニット３０は、前記電子装置１００の内部に設置され、且つ前記マイクロプロセッサー２０は、前記揺動検出器１０と前記警報ユニット３０との間に接続される。前記電気スイッチ４０は、前記電子装置１００のハウジングに設置され、且つ前記マイクロプロセッサー２０と電源５０との間に接続される。前記電気スイッチ４０をオンして前記マイクロプロセッサー２０を盗難防止モードに入らせるか、又はソフトウェアによって前記マイクロプロセッサー２０を盗難防止モードに入らせる。本実施形態において、前記電子装置１００は、ノートパソコンである。
【００１０】
ソフトウェアによって前記マイクロプロセッサー２０を盗難防止モードに入らせる場合、前記電子装置１００が待ち状態又はロック状態になると、前記マイクロプロセッサー２０を盗難防止モードに入らせるように設定する。
【００１１】
ソフトウェアによって前記マイクロプロセッサー２０を盗難防止モードに入らせる場合、前記電気スイッチ４０を省略することができる。
【００１２】
前記警報ユニット３０は、警報ランプ３２及びブザー３４を備える。前記警報ユニット３０がスタートされると、前記警報ランプ３２が点滅し、前記ブザー３４が警報音を出して警告する。他の実施形態において、前記警報ユニット３０は、前記警報ランプ３２及び前記ブザー３４の中の一方だけを備えることができ、又は他の警報機能付き要素を備えることができる。
【００１３】
図２を参照すると、前記揺動検出器１０は、積層設置されるベース１２及びカバー１４からなる本体１８、水銀１６、複数の電源導線１２２及び複数の接地導線１２４を備える。前記本体１８は、長方体である。前記ベース１２の中心には、前記水銀１６を収容するための円錐台状の凹部１２８が設けられる。複数の前記電源導線１２２及び複数の前記接地導線１２４は、前記凹部１２８の開口の周縁に交互に配列される。前記電源導線１２２の一端は、前記マイクロプロセッサー２０の電源端（図示せず）に接続され、前記電源導線１２２の他端は、前記ベース１２の前記カバー１４に対面する表面における前記凹部１２８の開口の周縁に暴露される。前記接地導線１２４の一端は、前記マイクロプロセッサー２０の接地端（図示せず）に接続され、前記接地導線１２４の他端は、前記ベース１２の前記カバー１４に対面する表面における前記凹部１２８の開口の周縁に暴露される。
【００１４】
ソフトウェアによって前記マイクロプロセッサー２０を盗難防止モードに入らせる場合、使用者は離れる前に前記電子装置１００を待ち状態又はロック状態に設定すると、前記ソフトウェアによって前記マイクロプロセッサー２０が盗難防止モードに入る。正常情況で前記電子装置１００は水平放置状態になって、前記水銀１６は前記凹部１２８の底部に留まり、前記凹部１２８の開口の周縁に暴露されている前記電源導線１２２及び前記接地導線１２４に接触しない。窃盗者が前記電子装置１００を窃盗する時、前記電子装置１００が遥動されて、前記水銀１６は前記凹部１２８の底部から前記凹部１２８の開口の周縁に移動して隣り合う前記電源導線１２２及び前記接地導線１２４に接触する。前記水銀１６の導電性によって、前記電源導線１２２及び前記接地導線１２４が電気接続して、前記マイクロプロセッサー２０の電源端及び接地端が導通し、前記マイクロプロセッサー２０は前記警報ユニット３０をスタートして、前記警報ランプ３２が点滅し且つ前記ブザー３４が警報音を出して窃盗者に警告する。
【００１５】
使用者が帰って前記電子装置１００を作動状態又はロック解除状態に設定すると、前記マイクロプロセッサー２０は盗難防止モードから退出する。
【００１６】
他の実施形態において、ハードウエアによって前記マイクロプロセッサー２０を盗難防止モードに入らせることができる。使用者が離れる前に前記電気スイッチ４０をオンすると、前記マイクロプロセッサー２０は盗難防止モードに入り、使用者が帰って前記電気スイッチ４０をオフすると、前記マイクロプロセッサー２０は盗難防止モードから退出する。
【００１７】
本発明の電子装置１００は、メディアプレーヤーであることもでき、前記電子装置１００の揺動検出器の凹部の形状は、円錐台状に限定されるものではなく、柱状又は他の形状であることができ、前記揺動検出器に複数の凹部を設置して誤判断を免れることができる。
【００１８】
図３は、本発明の実施形態に係る電子装置１００の揺動検出器の他の例を示す図である。揺動検出器６０は、積層設置されるベース６２及びカバー６４からなる本体６８、水銀６６、複数の電源導線６２２及び複数の接地導線６２４を備える。前記本体６８は、長方体である。前記ベース６２には、３行３列の９つの凹部６３が設けられ、前記水銀６６は、前記ベース６２の中心に位置する前記凹部６３に収容される。複数の前記電源導線６２２及び複数の前記接地導線６２４は、前記ベース６２の四周辺縁に交互に配列される。前記電源導線６２２の一端は、前記マイクロプロセッサー２０の電源端（図示せず）に接続され、前記電源導線６２２の他端は、前記ベース６２の前記カバー６４に対面する表面の周辺に暴露される。前記接地導線６２４の一端は、前記マイクロプロセッサー２０の接地端（図示せず）に接続され、前記接地導線６２４の他端は、前記ベース６２の前記カバー６４に対面する表面の周辺に暴露される。前記ベース６２と前記カバー６４との間には、隙間が存在する。
【００１９】
前記電子装置１００がちょっと遥動されて、前記ベース６２の中心に位置する前記凹部６３に収容された前記水銀６６が前記隙間によって前記ベース６２の周辺に位置する前記凹部６３内に移動すると、隣り合う前記電源導線６２２及び前記接地導線６２４は電気接続しないため、前記マイクロプロセッサー２０の電源端及び接地端は導通しなく、前記マイクロプロセッサー２０は前記警報ユニット３０をスタートしなく、従って誤判断を免れることができる。窃盗者が前記電子装置１００を窃盗する時、前記電子装置１００が大きく遥動されて、前記ベース６２の中心に位置する前記凹部６３に収容された前記水銀６６は、前記隙間によって前記ベース６２の周辺に位置する前記凹部６３内に移動し且つ該凹部６３から再び前記隙間によって前記ベース６２の前記カバー６４に対面する表面の周辺に移動するか、又は前記隙間によって直接に前記ベース６２の前記カバー６４に対面する表面の周辺に移動して、隣り合う前記電源導線６２２及び前記接地導線６２４に接触すると、前記水銀６６の導電性によって、前記電源導線６２２及び前記接地導線６２４が電気接続して、前記マイクロプロセッサー２０の電源端及び接地端が導通し、前記マイクロプロセッサー２０は前記警報ユニット３０をスタートして、前記警報ランプ３２が点滅し且つ前記ブザー３４が警報音を出して窃盗者に警告する。
【００２０】
本発明の電子装置において、マイクロプロセッサーが盗難防止モードに入ってから、窃盗者が前記電子装置を窃盗する時、前記電子装置が遥動されて、揺動検出器内の水銀が移動して、前記マイクロプロセッサーの電源端及び接地端を導通すると、前記マイクロプロセッサーは警報ユニットをスタートして、窃盗者に警告する。
【００２１】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２２】
１０，６０  揺動検出器
１２，６２  ベース
１４，６４  カバー
１６，６６  水銀
１８  本体
２０  マイクロプロセッサー
３０  警報ユニット
３２  警報ランプ
３４  ブザー
４０  電気スイッチ
５０  電源
６３，１２８  凹部
１００  電子装置
１２２，６２２  電源導線
１２４，６２４  接地導線
【図１】
2011187053.tif 000003
【図２】
2011187053.tif 000004
【図３】
2011187053.tif 000005